(57)【要約】【課題】基板上に設けられた隔壁を、高いアスペクト比を有するものとしたとしても、隔壁と基板との接合部における密着力が、製造プロセス上の困難を伴うことなく向上し、その結果、隔壁と画素基板との接合部における、浮き・剥がれの発生が的確に抑制または防止され、優れた表示品位を発揮する電気泳動表示装置、および、かかる電気泳動表示装置を備える信頼性に優れた電子機器を提供すること。【解決手段】電気泳動表示装置は、第１基板と、前記第１基板に対向する第２基板と、前記第２基板の前記第１基板に対向する側に設けられ、前記第１基板との間の空間を複数のセルに区切り、隣り合う画素間に設けられた隔壁と、複数の前記セル内に充填され、電気泳動粒子と分散媒とを含有する電気泳動分散液とを有し、前記隔壁は、直線部と、最外周に配置された角部とを有し、前記角部を構成する前記隔壁の幅は、前記直線部を構成する前記隔壁の幅よりも広い。【選択図】図７
2019056774.tif 000002
【特許請求の範囲】
【請求項１】
第１基板と、
前記第１基板に対向する第２基板と、
前記第２基板の前記第１基板に対向する側に設けられ、前記第１基板との間の空間を複数のセルに区切り、隣り合う画素間に設けられた隔壁と、
複数の前記セル内に充填され、電気泳動粒子と分散媒とを含有する電気泳動分散液とを有し、
前記隔壁は、直線部と、最外周に配置された角部とを有し、前記角部を構成する前記隔壁の幅は、前記直線部を構成する前記隔壁の幅よりも広いことを特徴とする電気泳動表示装置。
【請求項２】
前記隔壁は、高さが１０μｍ以上１５０μｍ以下である請求項１に記載の電気泳動表示装置。
【請求項３】
前記直線部を構成する前記隔壁の幅は、３μｍ以上１０μｍ以下である請求項１または２に記載の電気泳動表示装置。
【請求項４】
前記角部を構成する前記隔壁の最大幅は、４．５μｍ以上５．０ｍｍ以下である請求項１ないし３のいずれか１項に記載の電気泳動表示装置。
【請求項５】
前記最外周に配置された前記角部は、当該電気泳動表示装置の表示領域を囲む外周領域に位置する請求項１ないし４のいずれか１項に記載の電気泳動表示装置。
【請求項６】
前記表示領域は、平面視で円形状をなしている請求項５に記載の電気泳動表示装置。
【請求項７】
前記角部を構成する前記隔壁により区切られた前記セルの放射方向の少なくとも１方向において、前記角部を構成する前記隔壁の幅が広くなっている請求項１ないし６のいずれか１項に記載の電気泳動表示装置。
【請求項８】
前記第１基板の前記第２基板と対向する側に設けられ、前記セルを封止する接合層を有し、
前記接合層は、前記隔壁の前記第１基板側の隔壁先端と対向する位置で、前記隔壁先端が食い込む請求項１ないし７のいずれか１項に記載の電気泳動表示装置。
【請求項９】
請求項１ないし８のいずれか１項に記載の電気泳動表示装置を備えることを特徴とする電子機器。
【発明の詳細な説明】
【技術分野】
【０００１】
本発明は、電気泳動表示装置および電子機器に関するものである。
【背景技術】
【０００２】
従来から、粒子の電気泳動を利用した電気泳動表示装置が知られており、この電気泳動表示装置は、可搬性および省電力性を有している点で優れている。
【０００３】
この電気泳動表示装置では、電気泳動粒子を含む電気泳動分散液を挟んで対向する画素電極と共通電極との間に電圧を印加して、帯電した黒粒子や白粒子等の電気泳動粒子を空間的に移動させることで表示領域に画像を形成している。電気泳動表示装置としては、例えば、対をなす画素基板（第２基板）と対向基板（第１基板）との間を隔壁（多孔性スペーサ）によって複数の空間（セル）に区画し、各空間内に電気泳動粒子および分散媒を含む電気泳動分散液を封入した構成のものが知られている。
【０００４】
このような電気泳動表示装置は、例えば、特許文献１に記載のように、電気泳動分散液（電気泳動インク）を空間（セル）の内部に隙間なく封止するために、画素基板上に設けられた隔壁の頂部（隔壁先端）と、対向基板とを接合する技術が開示されている。
【０００５】
かかる構成の電気泳動表示装置は、隔壁が設けられた画素基板を用意し、その後、画素基板上の隔壁により区画された空間内に電気泳動分散液を充填させた後に、対向基板を接合することにより製造される。
【０００６】
このような電気泳動表示装置では、電気泳動分散液中に含まれる電気泳動粒子の駆動面積を広くすることを目的に、画素基板（第２基板）上に設けられる隔壁の幅を可能な限り細くすること、すなわち隔壁の高さと幅とのアスペクト比を高くすることが求められる。しかしながら、高いアスペクト比を備える隔壁を画素基板上に形成すると、隔壁と画素基板との接合部における接合力が十分に得られず、前記接合部において浮き・剥がれが不本意に発生すると言う問題があった。
【０００７】
かかる問題点を解決することを目的に、例えば、特許文献１では、画素基板の表面をサンドブラストにより粗面化して、接触面積を大きくすることで、隔壁と画素基板（基板）との接合部における密着力を向上させることが提案されている。
【０００８】
ところが、かかる構成の電気泳動表示装置では、画素基板の表面の全面を粗面化した場合には、画素基板における表示領域までも粗面化されてしまい、結果として、電気泳動表示装置の表示品位が低下してしまうこととなる。これに対して、隔壁と画素基板との接合部に対応する領域において、画素基板を選択的に粗面化することも考えられるが、この場合、μｍオーダーの微細形状を有する隔壁に対応して、画素基板の表面を粗面化する必要があり、製造プロセス上において、困難を極める。また、画素基板を、スイッチング素子等を備える回路を有する積層基板で構成する場合には、粗面化による影響が画素基板に及ぶため、適用が困難となる。
【先行技術文献】
【特許文献】
【０００９】
【特許文献１】特開２００７−２７２１３５号公報
【発明の概要】
【発明が解決しようとする課題】
【００１０】
本発明の目的は、基板上に設けられた隔壁を、高いアスペクト比を有するものとしたとしても、隔壁と基板との接合部における密着力が、製造プロセス上の困難を伴うことなく向上し、その結果、隔壁と画素基板との接合部における、浮き・剥がれの発生が的確に抑制または防止され、優れた表示品位を発揮する電気泳動表示装置、および、かかる電気泳動表示装置を備える信頼性に優れた電子機器を提供することにある。
【課題を解決するための手段】
【００１１】
このような目的は、上述の課題の少なくとも一部を解決するためになされたものであり、下記の本発明により達成される。
【００１２】
本発明の電気泳動表示装置は、第１基板と、
前記第１基板に対向する第２基板と、
前記第２基板の前記第１基板に対向する側に設けられ、前記第１基板との間の空間を複数のセルに区切り、隣り合う画素間に設けられた隔壁と、
複数の前記セル内に充填され、電気泳動粒子と分散媒とを含有する電気泳動分散液とを有し、
前記隔壁は、直線部と、最外周に配置された角部とを有し、前記角部を構成する前記隔壁の幅は、前記直線部を構成する前記隔壁の幅よりも広いことを特徴とする。
【００１３】
これにより、隔壁と第２基板との接合部における接合面積が大きくなる。その結果、隔壁の浮き・剥がれとなる起点が無くなり、隔壁と第２基板との接合部における浮き・剥がれの発生が的確に抑制または防止され、電気泳動表示装置は、優れた表示品位を発揮する。
【００１４】
本発明の電気泳動表示装置では、前記隔壁は、高さが１０μｍ以上１５０μｍ以下であることが好ましい。
【００１５】
これにより、電気泳動粒子の移動による表示を優れたコントラストで実施することが可能となる。その結果、電気泳動表示装置は、優れた表示品位を発揮するものとなる。
【００１６】
本発明の電気泳動表示装置では、前記直線部を構成する前記隔壁の幅は、３μｍ以上１０μｍ以下であることが好ましい。
【００１７】
これにより、電気泳動粒子が駆動する駆動面積を広く確保することができるため、電気泳動表示装置は、優れた表示品位を発揮するものとなる。
【００１８】
本発明の電気泳動表示装置では、前記角部を構成する前記隔壁の最大幅は、４．５μｍ以上５．０ｍｍ以下であることが好ましい。
【００１９】
これにより、隔壁と第２基板との接合部における浮き・剥がれの発生をより的確に抑制または防止することができる。
【００２０】
本発明の電気泳動表示装置では、前記最外周に配置された前記角部は、当該電気泳動表示装置の表示領域を囲む外周領域に位置することが好ましい。
【００２１】
これにより、表示領域に対して何ら影響を及ぼさないことから、電気泳動表示装置は、優れた表示品位を発揮する。
【００２２】
本発明の電気泳動表示装置では、前記表示領域は、平面視で円形状をなしていることが好ましい。
【００２３】
これにより、セルを区画する隔壁は、その最外周において、角を有する角部を不可避的に備えるものとなる。
【００２４】
本発明の電気泳動表示装置では、前記角部を構成する前記隔壁により区切られた前記セルの放射方向の少なくとも１方向において、前記角部を構成する前記隔壁の幅が広くなっていることが好ましい。
【００２５】
これにより、隔壁と第２基板との接合部における接合面積が大きくなる。その結果、隔壁の浮き・剥がれとなる起点が無くなり、隔壁と第２基板との接合部における浮き・剥がれの発生が的確に抑制または防止され、電気泳動表示装置は、優れた表示品位を発揮する。
【００２６】
本発明の電気泳動表示装置では、前記第１基板の前記第２基板と対向する側に設けられ、前記セルを封止する接合層を有し、前記接合層は、前記隔壁の前記第１基板側の隔壁先端と対向する位置で、前記隔壁先端が食い込むことが好ましい。
【００２７】
これにより、接合層と、隔壁とにより区画された閉空間内に充填された電気泳動分散液が、隣接する閉空間同士の間で、行き来するのを的確に抑制または防止することができる。
【００２８】
本発明の電子機器は、本発明の電気泳動表示装置を備えることを特徴とする。
これにより、電子機器は、優れた信頼性を備えるものとなる。
【図面の簡単な説明】
【００２９】
【図１】本発明の電気泳動表示装置が搭載された電子機器の実施形態を示す平面図である。
【図２】本発明の電気泳動表示装置の電気的な構成の実施形態を示す等価回路図である。
【図３】本発明の電気泳動表示装置の表示領域の構造の実施形態を示す模式平面図である。
【図４】図３に示す電気泳動表示装置のＡ−Ａ’線断面図である。
【図５】本発明の電気泳動表示装置の構造の実施形態を示す模式平面図である。
【図６】図５に示す電気泳動表示装置のＢ−Ｂ’線断面図である。
【図７】図５に示す電気泳動表示装置のＣ部の構成の第１実施形態を拡大して示す拡大平面図である。
【図８】図６に示す電気泳動表示装置のＦ部を拡大して示す拡大断面図である。
【図９】図５に示す電気泳動表示装置のＣ部の構成の第２実施形態を拡大して示す拡大平面図である。
【図１０】図５に示す電気泳動表示装置のＣ部の構成の第３実施形態を拡大して示す拡大平面図である。
【図１１】図５に示す電気泳動表示装置のＣ部の構成の第４実施形態を拡大して示す拡大平面図である。
【図１２】図５に示す電気泳動表示装置のＣ部の構成の第５実施形態を拡大して示す拡大平面図である。
【図１３】図５に示す電気泳動表示装置のＣ部の構成の第６実施形態を拡大して示す拡大平面図である。
【図１４】図５に示す電気泳動表示装置のＣ部の構成の第７実施形態を拡大して示す拡大平面図である。
【発明を実施するための形態】
【００３０】
以下、本発明の電気泳動表示装置および電子機器を添付図面に示す好適な実施形態に基づいて詳細に説明する。
【００３１】
なお、以下の形態において、例えば「基板上に」と記載された場合、基板の上に接するように配置される場合、または基板の上に他の構成物を介して配置される場合、または基板の上に一部が接するように配置され、一部が他の構成物を介して配置される場合を含むものとする。
【００３２】
＜電子機器＞
まず、本発明の電気泳動表示装置および電気泳動表示装置の製造方法を説明するのに先立って、本発明の電気泳動表示装置を備える電子機器について説明する。
【００３３】
図１は、本発明の電気泳動表示装置が搭載された電子機器の実施形態を示す平面図である。なお、使用する図面（図１および以下で示す図を含む）は、説明する部分が認識可能な状態となるように、適宜拡大または縮小して表示している。
【００３４】
図１に示すように、電子機器１００は、電気泳動表示装置１０と、電子機器１００を操作するためのインターフェイスとを備えている。このインターフェイスは、具体的には、本実施形態では、スイッチで構成される操作部１１０である。
【００３５】
電気泳動表示装置１０は、本発明の電気泳動表示装置で構成され、表示領域Ｅを有するディスプレイモジュールである。表示領域Ｅは複数の画素から成り、これらの画素が電気的に制御されることで表示領域Ｅに画像が表示される。そのため、かかる電気泳動表示装置１０（本発明の電気泳動表示装置）を備える電子機器１００は、優れた信頼性を備えるものとなる。
【００３６】
なお、電気泳動表示装置１０を備えた電子機器１００として、図１に示す、ウォッチの他、電子ペーパー（ＥＰＤ：Electronic Paper Display）、ウエアラブル機器、カメラ、スマートフォン、タブレット端末、テレビ、ビューファインダー型またはモニター直視型のビデオテープレコーダー、カーナビゲーション装置、ページャー、電子手帳、電卓、電子新聞、ワードプロセッサー、パーソナルコンピューター、ワークステーション、テレビ電話、ＰＯＳ端末、デジタルサイネージ等が挙げられる。
【００３７】
＜電気泳動表示装置＞
＜＜第１実施形態＞＞
次に、かかる電子機器１００が備える電気泳動表示装置１０（本発明の電気泳動表示装置）について説明する。
【００３８】
図２は、本発明の電気泳動表示装置の電気的な構成の実施形態を示す等価回路図、図３は、本発明の電気泳動表示装置の表示領域の構造の実施形態を示す模式平面図、図４は、図３に示す電気泳動表示装置のＡ−Ａ’線断面図、図５は、本発明の電気泳動表示装置の構造の実施形態を示す模式平面図、図６は、図５に示す電気泳動表示装置のＢ−Ｂ’線断面図、図７は、図５に示す電気泳動表示装置のＣ部の構成の第１実施形態を拡大して示す拡大平面図、図８は、図６に示す電気泳動表示装置のＦ部を拡大して示す拡大断面図である。なお、図５〜図８においては、絶縁層や配線、電極等の図示は省略する。
【００３９】
図２に示すように、電気泳動表示装置１０は、複数のデータ線１２と、複数の走査線１３とを有し、データ線１２と走査線１３とが交差する部分に画素１１が配置される。具体的には、電気泳動表示装置１０は、データ線１２と走査線１３とに沿ってマトリクス状に配置された複数の画素１１を有している。各画素１１は、画素電極２１と共通電極２２との間に配置された分散媒１５と電気泳動粒子３４とを含む電気泳動分散液３７を有する。
【００４０】
画素電極２１は、トランジスター１６（ＴＦＴ１６）を介してデータ線１２に接続されている。また、ＴＦＴ１６のゲート電極は、走査線１３に接続されている。なお、図２は、例示であり、必要に応じて保持容量等の他の素子が組み込まれてもよい。
【００４１】
また、図３および図４に示すように、本実施形態では、電気泳動表示装置１０は、素子基板５１と、素子基板５１に対向する対向基板５２と、素子基板５１の対向基板５２に対向する側に設けられ、対向基板５２との間の空間を複数のセル３６に平面視で格子状に区切り、隣り合う画素間に設けられる隔壁３５と、複数のセル３６内に配置（充填）され、電気泳動粒子３４と分散媒１５とを含有する電気泳動分散液３７で構成される電気泳動層３３と、対向基板５２の素子基板５１と対向する側に設けられ、セル３６を封止する封止層４２（接合層）とを有する。
【００４２】
なお、本実施形態では、本発明における第１基板として対向基板５２が適用され、本発明における第２基板として素子基板５１が適用される。
【００４３】
素子基板５１が備える、例えば、透光性を有するガラス基板からなる第１基材３１上には、各画素１１に対応して画素電極２１が配置されている。
【００４４】
詳述すると、図３および図４に示すように、画素１１（画素電極２１）は、例えば、平面視でマトリクス状に形成されている。画素電極２１の材料としては、例えば、ＩＴＯ（錫を添加した酸化インジウム：Indium Tin Oxide）等の光透過性材料が用いられる。
【００４５】
第１基材３１と画素電極２１との間には、図示しない回路部が設けられており、回路部の中にＴＦＴ１６等が形成されている。ＴＦＴ１６は、図示しないコンタクト部を介して、各画素電極２１と電気的に接続されている。なお、図示しないが、回路部の中には、ＴＦＴ１６の他、各種配線（例えば、データ線１２や走査線１３等）や素子（例えば、容量素子）等が配置されている。画素電極２１上を含む第１基材３１上の全面には、第１絶縁層３２が形成されている。なお、第１絶縁層３２を設けない構成でもよい。
【００４６】
対向基板５２は、素子基板５１と対向して配置されるものであり、この対向基板５２が備える、例えば、透光性を有するガラス基板からなる第２基材４１上（図４における分散媒１５側）には、複数の画素１１に対応して共通に設けられた共通電極２２が形成されている。共通電極２２としては、例えば、ＩＴＯ等の光透過性材料が用いられる。
【００４７】
また、対向基板５２が備える共通電極２２上（図４における分散媒１５側）には、本実施形態では、第１封止層４２ａが形成されている。さらに、第１封止層４２ａの上には、第２封止層４２ｂが形成されている。なお、第１封止層４２ａと第２封止層４２ｂとを合せて封止層４２と称する。また、この封止層４２については、後に詳述する。
【００４８】
第１絶縁層３２と封止層４２との間には、電気泳動層３３が設けられている。
電気泳動層３３は、少なくとも１以上の電気泳動粒子３４と、電気泳動粒子３４が分散された分散媒１５とを含む電気泳動分散液３７で構成され、この電気泳動分散液３７（分散媒１５および電気泳動粒子３４）が、第１絶縁層３２と、第２封止層４２ｂと、第１基材３１上に設けられた隔壁３５（リブ）と、により仕切られた（分割された）空間（領域）であるセル３６内に充填されることで形成される。
【００４９】
隔壁３５は、素子基板５１から立設することで素子基板５１と対向基板５２との間に配置（介挿）され、図３に示すように、本実施形態では、隔壁３５により仕切られる１つのセル３６の平面視形状が矩形状（正方形状）となるように、平面視で直線状をなす凸条が碁盤目状（格子状）に行列をなして複数形成されている。
【００５０】
この隔壁３５は、アクリル樹脂やエポキシ樹脂等の透光性材料であることが好ましい。このような透光性材料で構成することにより、表示領域Ｅに表示された画像に隔壁３５が映り込むのを的確に抑制または防止することができる。さらに、これらの透光性材料は、吸湿性または吸着性の低い材料であることから、隔壁３５に吸着された水分がセル３６内において、電気泳動分散液３７中に移行するのを的確に抑制または防止することができる。
【００５１】
また、隔壁３５の高さ（平均高さ）は、この隔壁３５により区画される電気泳動層３３の平均厚さとほぼ等しく設定され、例えば、１０μｍ以上１５０μｍ以下であることが好ましく、２０μｍ以上１００μｍ以下であることがより好ましく、特に好ましくは３０μｍ程度に設定される。これにより、電気泳動粒子３４の移動による白色表示と黒色表示とを優れたコントラストで表示することが可能となる。その結果、電気泳動表示装置１０は、優れた表示品位を発揮するものとなる。
【００５２】
さらに、隔壁３５の幅は、好ましくは３μｍ以上１０μｍ以下、より好ましくは５μｍ程度に設定される。また、隔壁３５の高さと幅とのアスペクト比は、好ましくは５以上５０以下、より好ましくは２０以上５０以下のように高いアスペクト比に設定される。隔壁３５の幅および前記アスペクト比を、前記範囲内に設定することで、表示領域Ｅにおける電気泳動粒子３４が駆動（泳動）する駆動面積が広く確保されていると言うことができ、電気泳動表示装置１０を優れた表示品位を発揮するものとし得る。
【００５３】
なお、本実施形態では、図４に示す通り、各画素１１に画素電極２１が配置され、各画素電極２１に前記隔壁３５（リブ）が配置されている構成としたが、これに限定されず、複数の画素毎（例えば２〜２０画素毎）に、隔壁３５（リブ）が形成されても良い。
【００５４】
また、素子基板５１と対向基板５２とを貼り合せた際、隔壁３５の頂部３５’（隔壁先端）が対向基板５２（具体的には、封止層４２）に入り込むことにより、セル３６内が封止されるが、隔壁３５の高さ（実際には、図６に示す額縁隔壁６１）および隔壁３５の頂部３５’の食い込み量を規定することで、素子基板５１と対向基板５２との間のセルギャップを決めることができる。
【００５５】
なお、以下では、隔壁３５によって囲まれて区切られた領域をセル３６と言う。一つのセル３６は、隔壁３５と、画素電極２１と、共通電極２２（封止層４２）と、電気泳動層３３とを含み、本実施形態では、前述の通り、平面視形状が矩形状（正方形状）をなしている。
【００５６】
また、本実施形態では、図４に示すように、電気泳動粒子３４として、白色粒子と黒色粒子とを示している。
【００５７】
例えば、画素電極２１と共通電極２２との間に電圧を印加すると、これらの間に生じる電界にしたがって、電気泳動粒子３４は、いずれかの電極（画素電極２１、共通電極２２）に向かって電気泳動する。例えば、白色粒子が正荷電を有する場合、画素電極２１を負電位とすると、白色粒子は、画素電極２１側（下側）に移動して集まり、黒色表示となる。逆に、画素電極２１を正電位とすると、白色粒子は、共通電極２２側（上側）に移動して集まり、白色表示となる。このように、表示側の電極に集合する白色粒子の有無や数等に応じて、所望の情報（画像）が表示される。なお、ここでは、電気泳動粒子３４として白色粒子や黒色粒子を用いたが、他の有色粒子を用いてもよい。
【００５８】
また、電気泳動粒子３４としては、無機顔料系の粒子、有機顔料系の粒子または高分子微粒子等を用いることができ、各種粒子を２種以上混合して用いてもよい。また、電気泳動粒子３４の平均粒子径は、例えば、１００ｎｍ以上４００ｎｍ以下程度のものが用いられ、好ましくは、１５０ｎｍ以上３００ｎｍ以下程度のものが用いられる。なお、本明細書中では、電気泳動粒子３４の粒子径は、母粒子の表面に、ポリマー等で構成される被覆層が形成されている構成をなす場合には、母粒子の粒子径のことを言うこととする。
【００５９】
また、白色粒子の含有量は、分散媒１５、白色粒子および黒色粒子の全重量、すなわち電気泳動分散液３７に対して３０％以内であり、黒色粒子の含有量は、分散媒１５、白色粒子、黒色粒子の全重量、すなわち電気泳動分散液３７に対して１０％以内である。このように配分することにより、反射率が４０％以上、および黒色反射率が２％以下になり、表示性能を高くすることができる。
【００６０】
また、本実施形態では、電気泳動粒子３４を分散させた電気泳動分散液３７とするための分散媒１５として、沸点が１００℃以上であり、比較的高い絶縁性を有するものが好ましく用いられる。
【００６１】
かかる分散媒１５としては、例えば、ブチルセロソルブ等のセロソルブ類、酢酸ブチル、高級脂肪酸エステル等のエステル類、ジブチルケトン等のケトン類、ペンタン等の脂肪族炭化水素類（流動パラフィン）、シクロヘキサン等の脂環式炭化水素類、キシレン等の芳香族炭化水素類、塩化メチレン等のハロゲン化炭化水素類、ピリジン等の芳香族複素環類、アセトニトリル等のニトリル類、Ｎ，Ｎ−ジメチルホルムアミド等のアミド類のような有機溶媒またはシリコーンオイル等が挙げられ、これらを単独または混合物として用いることができる。
【００６２】
中でも、分散媒１５としては、シリコーンオイルを主成分とするものが好ましい。シリコーンオイルを主成分とする分散媒１５は、電気泳動粒子３４の凝集抑制効果が高いことから、図３に示す電気泳動表示装置１０の表示性能が経時的に劣化するのを抑制することができる。また、シリコーンオイルは、不飽和結合を有しないため耐候性に優れ、さらに安全性も高いという利点を有している。
【００６３】
なお、分散媒１５に分散される電気泳動粒子３４は、上記の通り、いずれかの電極に向かって電気泳動し得るように、正または負の荷電を有するが、その帯電量は、通常、電気泳動粒子３４が取り込む、分散媒１５中に含まれる水分の取り込み量によって規定される。そのため、分散媒１５中に含まれる水分量は、好ましくは３００ｐｐｍ以上１０００ｐｐｍ以下程度、より好ましくは４００ｐｐｍ以上７００ｐｐｍ以下程度に設定される。
【００６４】
また、分散媒１５中には、必要に応じて、例えば、電解質、界面活性剤（アニオン性またはカチオン性）、金属石鹸、樹脂材料、ゴム材料、油類、ワニス、コンパウンド等の粒子からなる荷電制御剤、潤滑剤、安定化剤、各種染料等の各種添加剤を添加するようにしてもよい。
【００６５】
また、前述の通り、対向基板５２には、素子基板５１と対向する側に、封止層４２が設けられ、これにより、封止層４２（接合層）は、隔壁３５の頂部３５’（隔壁先端）と対向基板５２との間に配置されている（図４、図６、図８参照）。
【００６６】
これにより、封止層４２と、第１絶縁層３２と、隔壁３５（リブ）とにより区画された空間（閉空間）がセル３６に形成され、この空間に分散媒１５と電気泳動粒子３４とを含む電気泳動分散液３７が充填されることで、分散媒１５および電気泳動粒子３４を含む電気泳動分散液３７が隣接するセル３６同士の間で、行き来できないようになっている。すなわち、電気泳動表示装置１０において、封止層４２によりセル３６が封止され、そのため、セル３６同士の間で、セル３６内に充填された電気泳動分散液３７が行き来できないようになっている。
【００６７】
この際、図４、図６、図８に示すように、本実施形態では、封止層４２と電気泳動層３３との接触面のうち、隔壁３５と平面視で重なる部分は、隔壁３５と平面視で重ならない部分よりも断面視において第２基材４１（対向基板５２）側に位置している。これにより、封止層４２（接合層）は、隔壁３５の対向基板５２側の頂部３５’（隔壁先端）と対向する位置において、頂部３５’が封止層４２に食い込む（埋入する）することとなる。このように、頂部３５’を封止層４２に食い込ませることで、封止層４２と、隔壁３５とにより区画された閉空間すなわちセル３６内に充填された電気泳動分散液３７が、隣接するセル３６同士の間で、行き来するのを的確に抑制または防止することができる。
【００６８】
この封止層４２は、本実施形態では、第１封止層４２ａ（第１接合層）と第２封止層４２ｂ（第２接合層）とが、対向基板５２（第１基板）側からこの順に積層された積層体で構成されている。すなわち、封止層４２は、素子基板５１側において、第１封止層４２ａの表面が第２封止層４２ｂで被覆された積層体からなる構成をなしている。そして、このような積層体において、第１封止層４２ａは、第２封止層４２ｂよりも柔軟であり、その弾性率が第２封止層４２ｂの弾性率よりも小さくなっている。
【００６９】
このような封止層４２（積層体）に対して、隔壁３５の頂部３５’（隔壁先端）を食い込ませることにより、凸条をなす頂部３５’と封止層４２とにより、セル３６内が封止され、隣接するセル３６同士間において、封止された電気泳動分散液３７が行き来するのを的確に抑制または防止することができる。
【００７０】
この際、隔壁３５の頂部３５’（隔壁先端）の封止層４２への食い込み量ｔ、すなわち第２封止層４２ｂの電気泳動層３３側の面のうち、頂部３５’が食い込んでいない部分と頂部３５’との間の距離は、例えば、好ましくは２μｍ以上１０μｍ以下、より好ましくは５μｍ程度に設定される。これにより、頂部３５’の縁部と封止層４２とによりセル３６内をより確実に封止することができるため、封止層４２と、隔壁３５とにより区画された閉空間すなわちセル３６内に充填された電気泳動分散液３７が、隣接するセル３６同士の間で、行き来するのを的確に抑制または防止することができる。
【００７１】
さらに、前述のような、第１封止層４２ａと第２封止層４２ｂとの積層体からなる封止層４２において、第１封止層４２ａの弾性率は、１ＭＰａ以上１０ＭＰａ以下であることが好ましい。また、第２封止層４２ｂの弾性率は、０．５ＧＰａ以上５ＧＰａ以下であることが好ましい。第１封止層４２ａと、第２封止層４２ｂとを、上記のような弾性率を有するものとすることにより、積層体、すなわち、封止層４２全体としての弾性率を、好ましくは５ＭＰａ以上２９ＭＰａ以下、より好ましくは８ＭＰａ以上１５ＭＰａ以下の範囲内に容易に設定することができる。そして、かかる弾性率の関係を満足する封止層４２（第１封止層４２ａおよび第２封止層４２ｂ）に対して、隔壁３５の頂部３５’をより確実に食い込ませることができる。
【００７２】
なお、第１封止層４２ａ、第２封止層４２ｂおよび封止層４２の弾性率は、それぞれ、２５℃において、圧子先端直径１０μｍの上部圧盤（圧子）を備える微小圧縮試験機（島津製作所社製、「ＭＣＴ−５１０」）を用いて測定される。
【００７３】
さらに、第１封止層４２ａの平均厚さは、５μｍ以上２０μｍ以下であることが好ましく、１５μｍ程度であることがより好ましい。また、第２封止層４２ｂの平均厚さは、２００ｎｍ以上６００ｎｍ以下であることが好ましく、４００ｎｍ程度であることがより好ましい。これにより、第１封止層４２ａと、第２封止層４２ｂとの積層体、すなわち、封止層４２全体としての弾性率を、１ＭＰａ以上３０ＭＰａ以下の範囲内に比較的容易に設定することができる。そのため、封止層４２に対して、隔壁３５の頂部３５’をより確実に食い込ませることができる。
【００７４】
また、第１封止層４２ａの体積抵抗率は、１×１０7Ω・ｃｍ以上５×１０10Ω・ｃｍ以下であることが好ましく、第２封止層４２ｂの体積抵抗率は１×１０7Ω・ｃｍ以上２×１０11Ω・ｃｍ以下であることが好ましい。第１封止層４２ａと、第２封止層４２ｂとを、上記のような体積抵抗率を有するものとすることにより、積層体、すなわち、封止層４２全体としての体積抵抗率を、１×１０7Ω・ｃｍ以上１×１０1２Ω・ｃｍ以下の範囲内に容易に設定することができることから、画素電極２１と共通電極２２との間に封止層４２が介在することに起因して、電気泳動粒子３４の移動度が低下するのを的確に抑制または防止することができる。
【００７５】
以上のような封止層４２（積層体）において、第１封止層４２ａは、第２封止層４２ｂよりも柔軟であり隔壁３５の頂部３５’が、より食い込みやすい材料が好ましく用いられ、具体的には、第１封止層４２ａの構成材料としては、例えば、ＮＢＲ（アクリロニトリル・ブタジエンゴム）、ウレタンゴム、イソプレンゴム、ブタジエンゴム、クロロプレンゴム、スチレン・ブタジエンゴム、ヒドリンゴム、ニトリルゴム等が挙げられ、これらのうちの１種または２種以上を組み合わせて用いることができる。中でも、ＮＢＲまたはヒドリンゴムであることが好ましい。ＮＢＲおよびヒドリンゴムによれば、その加硫条件の変更、および、第１封止層４２ａへのフィラーの添加により、第１封止層４２ａの弾性率を前述した範囲内に容易に調整することができる。
【００７６】
なお、第１封止層４２ａに添加するフィラーとしては、例えば、シリカ、マイカ、アルミナ、酸化チタン、窒化珪素等が挙げられ、これらのうちの１種または２種以上を組み合わせて用いることができる。
【００７７】
また、第２封止層４２ｂは、例えば、第１封止層４２ａが分散媒１５に溶出しないようにするための封止層としての機能、さらには、その弾性率が前述した範囲内に設定し得るように第２封止層４２ｂの構成材料が選択される。具体的には、第２封止層４２ｂの構成材料としては、例えば、ＰＶＡ（ポリビニルアルコール）の他、ポリエチレン、ポリプロピレンのような非極性ポリマー等が挙げられ、これらのうちの１種または２種以上を組み合わせて用いることができる。中でも、ＰＶＡであることが好ましい。これらの材料（特に、ＰＶＡ）は、分散媒１５に溶出するおそれが少ないことから、電気泳動表示装置１０の不具合を好適に軽減することができる。また、ＰＶＡは、接着性が低い材料であるため、第２封止層４２ｂに電気泳動粒子３４が固着することを防止することができる。
【００７８】
なお、第２封止層４２ｂには、第２封止層４２ｂの材料を柔らかくするための添加剤が含まれていてもよい。この添加剤としては、例えば、グリセリンが挙げられる。添加剤は、ＰＶＡの固形分に対して５ｗｔ％以上５０ｗｔ％以下程度添加されることが好ましい。これにより、第２封止層４２ｂの弾性率を前述した数値範囲内に比較的容易に設定することができる。
【００７９】
また、添加剤は、グリセリンに限定されず、例えば、ポリエチレングリコール、グリセリン、尿素、ポリエチレンオキサイド、ポリプロピレングリコールから選択される１種または２種以上を混合したものを用いてもよい。
なお、封止層４２の光線透過率は、ＰＶＡが９９％であり、ＮＢＲも９９％である。
【００８０】
なお、封止層４２は、第１封止層４２ａと、第２封止層４２ｂとの積層体として設ける場合の他、第２封止層４２ｂの構成材料によっては、第１封止層４２ａを省略して、第２封止層４２ｂの単層で構成されるものであってもよいし、さらには、３層以上の積層体で構成されていてもよい。
【００８１】
ただし、封止層４２を形成する材料として接着剤を用いた場合、接着剤に含まれる例えば、完全に硬化しない反応性モノマー等の不純物が分散液の中に溶出することにより、この接着剤が電気泳動分散液３７に含まれる電気泳動粒子３４に付着して、電気泳動粒子３４の泳動性に影響を与えるおそれがある。しかしながら、本実施形態においては、封止層４２を、第１封止層４２ａと第２封止層４２ｂとを有するものとし、電気泳動粒子３４と接触する部分に第２封止層４２ｂを配置している。そのため、このような不具合も軽減することができる。
【００８２】
また、図５および図６に示すように、電気泳動表示装置１０は、表示領域Ｅと、この表示領域Ｅを囲む額縁領域Ｅ１（外周領域）とを有する。
【００８３】
この額縁領域Ｅ１は、電気泳動層３３のうち表示に寄与しない領域であるダミー画素領域Ｄ（非表示領域）と、ダミー画素領域Ｄの外側に配置された額縁隔壁６１（外周隔壁）と、額縁隔壁６１の上側および外側に配置されたシール部１４とを含む。
【００８４】
なお、額縁領域Ｅ１の幅は、例えば、１．０ｍｍ以上１０．０ｍｍ以下程度に設定される。また、ダミー画素領域Ｄの幅は、例えば、０．５ｍｍ以上７．０ｍｍ以下程度に設定される。
【００８５】
ダミー画素領域Ｄの表示領域Ｅ側には、表示領域Ｅに配置された隔壁３５に連続して形成された隔壁３５ａが設けられている。この隔壁３５ａにより形成されるセル３６ａ内にもセル３６と同様に電気泳動分散液３７が充填されている。なお、素子基板５１のダミー画素領域Ｄに対応する位置には画素電極２１の形成が省略されており、これにより、セル３６ａ内に充填された電気泳動分散液３７に含まれる電気泳動粒子３４は、画素電極２１と共通電極２２との間に電圧が印加されることによる電気泳動に関与しない。すなわち、セル３６ａ内に充填された電気泳動分散液３７に含まれる電気泳動粒子３４は、表示領域Ｅにおいて、画素電極２１と共通電極２２との間に電圧が印加されたとしても、電気泳動することはない。
【００８６】
また、ダミー画素領域Ｄの額縁隔壁６１側には、隔壁３５ａの形成が省略された空隙３８が設けられている。この空隙３８には、セル３６、セル３６ａに充填されなかった余分となった電気泳動分散液３７が充填されている。すなわち、空隙３８は、余分な電気泳動分散液３７を充填するための逃げ部として機能する。
【００８７】
隔壁３５ａは、前述の通り、ダミー画素領域Ｄの表示領域Ｅ側において、表示領域Ｅに配置された隔壁３５に連続（連結）して設けられており、本実施形態では、隔壁３５と同じ形状で形成されている。すなわち、隔壁３５ａは、隔壁３５ａにより仕切られる１つのセル３６の平面視形状が矩形状（正方形状）となるように、平面視で直線状をなす凸条が碁盤目状（格子状）に行列をなして複数形成されている。
【００８８】
このように、平面視で直線状をなす凸条として形成された隔壁３５ａが、本実施形態では、隔壁が有する直線部を構成している。
【００８９】
ここで、表示領域Ｅは、平面視で、図１、図５に示すように円形状をなし、これにより、表示領域Ｅを取り囲むダミー画素領域Ｄ（非表示領域）は、その平面視形状が円環状をなしている。そのため、ダミー画素領域Ｄの表示領域Ｅ側に形成される隔壁３５ａの最外周形状も、その全体形状が円形状をなし、湾曲したものとなる。したがって、表示領域Ｅからダミー画素領域Ｄに亘って碁盤目状に連続して配列されたセル３６、セル３６ａを、その平面視形状が矩形状（正方形状）をなすものとすると、セル３６ａを区画する隔壁３５ａは、その最外周において、巨視的には、角を有する角部３９を不可避的に備えるものとなる。
【００９０】
このような角部３９を備える隔壁３５ａに、例えば、電気泳動表示装置１０の製造時において、隔壁３５ａ、３５が設けられた素子基板５１のセル３６内に電気泳動分散液３７を充填させた後に、対向基板５２を接合する際に、応力が作用すると、角部３９を構成する隔壁３５ａに対して、局所的に応力が集中する傾向を示す（なお、以下では、角部３９を構成する「隔壁３５ａ」を「隔壁３５ｂ」と言うこともある。）。特に、本実施形態のように、隔壁３５、隔壁３５ａの高さと幅とのアスペクト比を前記範囲内のように高くした場合に、隔壁３５ｂに対して応力が集中する傾向がより高くなる。そのため、角部３９を構成する隔壁３５ｂを起点として、隔壁３５ｂと素子基板５１との接合部における浮き・剥がれが生じるおそれがあるが、本発明では、角部３９を構成する隔壁３５ｂの幅を、角部３９を除く領域に位置する直線部における隔壁３５ａの幅よりも広く設定している。すなわち、角部３９を構成する隔壁３５ｂにより区切られたセル３６ａの放射方向の少なくとも１方向（例えば、セル３６ａの行方向、列方向または対角線方向）において、角部３９を構成する隔壁３５ｂの幅が広くなっていることで、隔壁３５ｂと素子基板５１との接合部における接合面積を大きくしている。その結果、隔壁３５ｂの浮き・剥がれの起点が無くなり、隔壁３５ｂと素子基板５１との接合部における浮き・剥がれの発生が的確に抑制または防止される。また、表示領域Ｅを囲むダミー画素領域Ｄ（外周領域）に位置する角部３９を構成する隔壁３５ｂの幅を広くするだけであり、表示領域Ｅに対して何ら影響を及ぼさないことから、電気泳動表示装置１０は、優れた表示品位を発揮する。
【００９１】
この隔壁３５ｂは、本実施形態では、隣接する角部３９の頂点同士を結ぶ直線とセル３６ａとにより形成される領域を埋めるように形成されており、その平面視形状が三角形状をなしており、これにより、その幅が広くなっている。このように隔壁３５ｂを、三角形状をなすものとすることで、隔壁３５ｂと素子基板５１との接合部における接合面積を大きくすることができる。
【００９２】
隔壁３５ｂの幅をＸ［μｍ］とし、隔壁３５ａの幅をＹ［μｍ］としたとき、隔壁同士の幅の比であるＸ／Ｙは、好ましくは１．５以上５０以下程度より好ましくは２．０以上３０以下程度に設定される。これにより、隔壁３５ｂと素子基板５１との接合部における浮き・剥がれの発生をより的確に抑制または防止することができる。
【００９３】
なお、本明細書中において、直線部を構成する隔壁３５ａの幅と、角部３９を構成する隔壁３５ｂの幅とは、同一の前記放射方向において測定することとし、具体的には、例えば、セル３６ａの対角線方向に沿って隔壁３５ａの幅を測定した場合には、隔壁３５ｂの幅についても同様に、対角線方向に沿って測定することとする。
【００９４】
かかる構成の隔壁３５ｂの最大幅は、４．５μｍ以上５．０ｍｍ以下程度であるのが好ましく、５０μｍ以上３．０ｍｍ以下程度であるのがより好ましい。これにより、隔壁３５ｂと素子基板５１との接合部における浮き・剥がれの発生をより的確に抑制または防止することができる。
【００９５】
ダミー画素領域Ｄの外側には、額縁隔壁６１が設けられている。額縁隔壁６１は、分散媒１５が電気泳動表示装置１０の外側に流れ出ないように堰き止めることができると共に、セル３６のギャップすなわち電気泳動層３３の厚さを調整するために用いられており、ダミー画素領域Ｄを囲むように配置されている。なお、額縁隔壁６１は、通常、表示領域Ｅの隔壁３５と同じ材料で構成されている。
【００９６】
額縁隔壁６１の幅Ｗ１は、好ましくは１００μｍ以上３００μｍ以下程度に設定される。また、額縁隔壁６１の高さは、通常、隔壁３５の高さと、ほぼ等しく設定される。
【００９７】
シール部１４は、本実施形態では、図６に示すように、第１シール材１４ａと、第２シール材１４ｂとを有する。第１シール材１４ａは、素子基板５１と対向基板５２とを貼り合わせる際に接着するために用いられ、額縁隔壁６１の上面（頂部）を覆うように配置されている。
【００９８】
また、第１シール材１４ａの粘度は、例えば、３０００Ｐａ・ｓ以上１００００Ｐａ・ｓ以下であり、好ましくは、４０００Ｐａ・ｓ程度である。このような粘度の第１シール材１４ａを用い、素子基板５１と対向基板５２との間に介在することで、これら同士をより良好に接合することができる。
【００９９】
また、第２シール材１４ｂは、素子基板５１と対向基板５２との間を封止するために用いられ、額縁隔壁６１を囲むように設けられている。
【０１００】
第２シール材１４ｂの幅Ｗ２は、好ましくは１５０μｍ以上６００μｍ以下程度に設定される。また、第２シール材１４ｂの粘度は、例えば、０．２Ｐａ・ｓ以上１．０Ｐａ・ｓ以下であり、好ましくは、０．８Ｐａ・ｓ程度である。このような粘度の第２シール材１４ｂを用いることにより、額縁隔壁６１と第１シール材１４ａとの積層体の周囲の素子基板５１と対向基板５２との間に、第２シール材１４ｂを入り込ませることが可能となる。そのため、第２シール材１４ｂの接着強度を向上させることができる。また、外部から第２シール材１４ｂおよび第１シール材１４ａを介して内部に水分が侵入することを抑えることが可能となり、信頼性の高いシール構造を得ることができる。
【０１０１】
以上のようなシール部１４において、第１シール材１４ａは、紫外線硬化型樹脂、熱硬化型樹脂のような各種硬化型樹脂で構成されることが好ましい。これにより、素子基板５１と対向基板５２とを確実かつ強固に接合することができる。
【０１０２】
また、第２シール材１４ｂの構成材料としては、アクリル樹脂やエポキシ樹脂のうちの少なくとも１種が好ましく用いられる。かかる樹脂材料で構成される第２シール材１４ｂは、吸湿性または吸着性の低い材料であることから、電気泳動表示装置１０の外側から、第２シール材１４ｂを介して、電気泳動分散液３７側に、水分が移行するのを的確に抑制または防止することができる。
【０１０３】
＜＜第２実施形態＞＞
次に、本発明の電気泳動表示装置の第２実施形態について説明する。
【０１０４】
図９は、図５に示す電気泳動表示装置のＣ部の構成の第２実施形態を拡大して示す拡大平面図である。
【０１０５】
以下、第２実施形態の電気泳動表示装置１０について、前記第１実施形態の電気泳動表示装置１０との相違点を中心に説明し、同様の事項については、その説明を省略する。
【０１０６】
図９に示す第２実施形態の電気泳動表示装置１０は、角部３９を構成する隔壁３５ｂの平面視での形状が異なること以外は、第１実施形態の電気泳動表示装置１０と同様である。
【０１０７】
この隔壁３５ｂは、本実施形態では、角部３９の頂点を中心として、セル３６ａを取り囲む領域を埋めるように、平面視形状が円形状に形成されることで、その幅が広くなっている。このように隔壁３５ｂを、円形状をなすものとすることによっても、隔壁３５ｂと素子基板５１との接合部における接合面積を大きくすることができる。
【０１０８】
また、このような第２実施形態の電気泳動表示装置１０によっても、前記第１実施形態と同様の効果が得られる。
【０１０９】
＜＜第３実施形態＞＞
次に、本発明の電気泳動表示装置の第３実施形態について説明する。
【０１１０】
図１０は、図５に示す電気泳動表示装置のＣ部の構成の第３実施形態を拡大して示す拡大平面図である。
【０１１１】
以下、第３実施形態の電気泳動表示装置１０について、前記第１実施形態の電気泳動表示装置１０との相違点を中心に説明し、同様の事項については、その説明を省略する。
【０１１２】
図１０に示す第３実施形態の電気泳動表示装置１０は、角部３９を構成する隔壁３５ｂの平面視での形状が異なること以外は、第１実施形態の電気泳動表示装置１０と同様である。
【０１１３】
この隔壁３５ｂは、本実施形態では、角部３９の頂点を中心として、セル３６ａを取り囲む領域を埋めるように、平面視形状が四角形状に形成されることで、その幅が広くなっている。このように隔壁３５ｂを、四角形状をなすものとすることによっても、隔壁３５ｂと素子基板５１との接合部における接合面積を大きくすることができる。
【０１１４】
また、このような第３実施形態の電気泳動表示装置１０によっても、前記第１実施形態と同様の効果が得られる。
【０１１５】
＜＜第４実施形態＞＞
次に、本発明の電気泳動表示装置の第４実施形態について説明する。
【０１１６】
図１１は、図５に示す電気泳動表示装置のＣ部の構成の第４実施形態を拡大して示す拡大平面図である。
【０１１７】
以下、第４実施形態の電気泳動表示装置１０について、前記第１実施形態の電気泳動表示装置１０との相違点を中心に説明し、同様の事項については、その説明を省略する。
【０１１８】
図１１に示す第４実施形態の電気泳動表示装置１０は、角部３９を構成する隔壁３５ｂの平面視での形状が異なること以外は、第１実施形態の電気泳動表示装置１０と同様である。
【０１１９】
この隔壁３５ｂは、本実施形態では、角部３９に対応するセル３６ａを含む最外周に位置するセル３６ａを取り囲むように、平面視形状が半円状をなすものが複数配列された構成をなすことで、その幅が広くなっている。このように隔壁３５ｂを、半円状をなすものを複数組み合わせたものとすることによっても、隔壁３５ｂと素子基板５１との接合部における接合面積を大きくすることができる。
【０１２０】
また、このような第４実施形態の電気泳動表示装置１０によっても、前記第１実施形態と同様の効果が得られる。
【０１２１】
＜＜第５実施形態＞＞
次に、本発明の電気泳動表示装置の第５実施形態について説明する。
【０１２２】
図１２は、図５に示す電気泳動表示装置のＣ部の構成の第５実施形態を拡大して示す拡大平面図である。
【０１２３】
以下、第５実施形態の電気泳動表示装置１０について、前記第１実施形態の電気泳動表示装置１０との相違点を中心に説明し、同様の事項については、その説明を省略する。
【０１２４】
図１２に示す第５実施形態の電気泳動表示装置１０は、角部３９を構成する隔壁３５ｂの平面視での形状が異なること以外は、第１実施形態の電気泳動表示装置１０と同様である。
【０１２５】
この隔壁３５ｂは、本実施形態では、角部３９に対応するセル３６ａを含む最外周に位置するセル３６ａを取り囲むように、平面視形状が半円状および三角形状をなすものが交互に複数配列された構成をなすことで、その幅が広くなっている。このように隔壁３５ｂを、半円状および三角形状をなすものを複数組み合わせたものとすることによっても、隔壁３５ｂと素子基板５１との接合部における接合面積を大きくすることができる。
【０１２６】
また、このような第５実施形態の電気泳動表示装置１０によっても、前記第１実施形態と同様の効果が得られる。
【０１２７】
＜＜第６実施形態＞＞
次に、本発明の電気泳動表示装置の第６実施形態について説明する。
【０１２８】
図１３は、図５に示す電気泳動表示装置のＣ部の構成の第６実施形態を拡大して示す拡大平面図である。
【０１２９】
以下、第６実施形態の電気泳動表示装置１０について、前記第１実施形態の電気泳動表示装置１０との相違点を中心に説明し、同様の事項については、その説明を省略する。
【０１３０】
図１３に示す第６実施形態の電気泳動表示装置１０は、逃げ部としての空隙３８の形成が省略され、さらに、隔壁３５ａ、隔壁３５ｂが形成される領域が異なること以外は、第１実施形態の電気泳動表示装置１０と同様である。
【０１３１】
すなわち、本実施形態では、逃げ部としての空隙３８の形成を省略して、この空隙３８が形成されていた領域に対して隔壁３５ｂが形成されている。そして、この隔壁３５ｂが形成された領域を除くダミー画素領域Ｄの全域に、表示領域Ｅに配置された隔壁３５に連続して隔壁３５ａが形成されている。本実施形態では、前記第１〜第５実施形態と比較して、より広い領域に対して、隔壁３５ａおよび隔壁３５ａにより区画されるセル３６ａが形成され、このセル３６ａが、余分な電気泳動分散液３７を充填するための逃げ部としても機能する。したがって、本実施形態では、隔壁３５ｂよりも表示領域Ｅ側に、逃げ部が形成される。
【０１３２】
また、このような第６実施形態の電気泳動表示装置１０によっても、前記第１実施形態と同様の効果が得られる。
【０１３３】
＜＜第７実施形態＞＞
次に、本発明の電気泳動表示装置の第７実施形態について説明する。
【０１３４】
図１４は、図５に示す電気泳動表示装置のＣ部の構成の第７実施形態を拡大して示す拡大平面図である。
【０１３５】
以下、第７実施形態の電気泳動表示装置１０について、前記第１実施形態の電気泳動表示装置１０との相違点を中心に説明し、同様の事項については、その説明を省略する。
【０１３６】
図１４に示す第７実施形態の電気泳動表示装置１０は、逃げ部としての空隙３８の形成が省略され、さらに、形成される隔壁３５の構成が異なること以外は、第１実施形態の電気泳動表示装置１０と同様である。
【０１３７】
すなわち、本実施形態では、逃げ部としての空隙３８の形成を省略して、この空隙３８が形成されていた領域に対して隔壁３５ｂが形成されている。そして、この領域に形成された隔壁３５ｂと、ダミー画素領域Ｄの表示領域Ｅ側に形成された隔壁３５ａのうち角部３９に対応する位置の隔壁３５ａとを結ぶ領域に、直線状をなす凸条からなる隔壁３５ｃが形成される。さらに、この隔壁３５ｃによりセル３６ｃが区画され、このセル３６ｃが、余分な電気泳動分散液３７を充填するための逃げ部として機能する。したがって、本実施形態では、隔壁３５ｂよりも表示領域Ｅ側に、逃げ部が形成される。
【０１３８】
また、このような第７実施形態の電気泳動表示装置１０によっても、前記第１実施形態と同様の効果が得られる。
【０１３９】
以上、本発明の電気泳動表示装置および電子機器を、図示の実施形態に基づいて説明したが、本発明の電気泳動表示装置は、これに限定されるものではなく、各部の構成は、同様の機能を有する任意の構成のものに置換することができる。また、本発明に他の任意の構成物が付加されていてもよい。
【０１４０】
また、前述した実施形態では、隔壁３５が平面視で格子状をなしていたが、隔壁３５の平面視形状としては、特に限定されず、例えば、ハニカム状、多角形状、丸形状、三角形状等に構成されていてもよい。
【０１４１】
また、素子基板５１側に隔壁３５や額縁隔壁６１を配置することに限定されず、対向基板５２側に隔壁３５や額縁隔壁６１を配置するようにしてもよい。この構成とした場合には、本発明における第１基板として素子基板５１が適用され、本発明における第２基板として対向基板５２が適用される。
【０１４２】
また、第１基材３１および第２基材４１は、表示側に光透過性を有する材料を用いればよく、ガラス基板の他、プラスチック基板を用いるようにしてもよい。
【０１４３】
さらに、額縁隔壁６１をスペーサーとして利用することに限定されない。素子基板５１と対向基板５２との間のセルギャップを規定するために、例えば別の部材をスペーサーとして設ける場合は、額縁隔壁６１の高さは隔壁３５の高さと等しくてもよい。
【符号の説明】
【０１４４】
１０…電気泳動表示装置、１１…画素、１２…データ線、１３…走査線、１４…シール部、１４ａ…第１シール材、１４ｂ…第２シール材、１５…分散媒、１６…トランジスター、２１…画素電極、２２…共通電極、３１…第１基材、３２…第１絶縁層、３３…電気泳動層、３４…電気泳動粒子、３５…隔壁、３５’…頂部、３５ａ…隔壁、３５ｂ…隔壁、３５ｃ…隔壁、３６…セル、３６ａ…セル、３６ｃ…セル、３７…電気泳動分散液、３８…空隙、３９…角部、４１…第２基材、４２…封止層、４２ａ…第１封止層、４２ｂ…第２封止層、５１…素子基板、５２…対向基板、６１…額縁隔壁、１００…電子機器、１１０…操作部、Ｄ…ダミー画素領域、Ｅ…表示領域、Ｅ１…額縁領域、ｔ…食い込み量、Ｗ１…幅、Ｗ２…幅
【図１】
2019056774.tif 000003
【図２】
2019056774.tif 000004
【図３】
2019056774.tif 000005
【図４】
2019056774.tif 000006
【図５】
2019056774.tif 000007
【図６】
2019056774.tif 000008
【図７】
2019056774.tif 000009
【図８】
2019056774.tif 000010
【図９】
2019056774.tif 000011
【図１０】
2019056774.tif 000012
【図１１】
2019056774.tif 000013
【図１２】
2019056774.tif 000014
【図１３】
2019056774.tif 000015
【図１４】
2019056774.tif 000016